(57)【特許請求の範囲】
【請求項１】
基材シートの少なくとも一部に色彩可変層が設けられている真贋判定シートであって、
前記色彩可変層は、該色彩可変層を設けた領域に外力を印加することにより、前記色彩
可変層の色彩が変化する自己組織化ポリマーからなることを特徴とする真贋判定シート。
【請求項２】
請求項１に記載の真贋判定シートであって、前記基材シートの少なくとも一部に設けら
れた色彩可変層を覆うように前記基材シート上に接着剤が設けられ、前記接着剤の上に更に保護シートを設けたことを特徴とする真贋判定シート。
【請求項３】
接着剤が塗布された層を保護する保護シートの前記接着剤と接する側の面に色彩可変層が設けられている真贋判定シートであって、前記色彩可変層は、該色彩可変層を設けた領域に外力を印加することにより、前記色彩可変層の色彩が変化する自己組織化ポリマーからなることを特徴とする真贋判定シート。
【請求項４】
前記自己組織化ポリマーが、置換ポリアセチレンからなることを特徴とする請求項１〜３のいずれか１項に記載の真贋判定シート。
【発明の詳細な説明】
【技術分野】
【０００１】
本発明は、真贋判定する対象物に対して、特別な装置を用意する必要も無く目視で簡便に真贋判定を行なうことが可能な真贋判定シートに関する。
【背景技術】
【０００２】
従来、紫外光を吸収して可視光を発光する蛍光発色材の層を有するカード、並びに、この蛍光発色材の層の光吸収量に応じてカードの真偽を判別するカード真贋判定方法が開発されている。（特許文献１）
上記カードでは真贋判定する際に外界から特殊な条件を備えた光が必要なものであり、判定に際しても特殊な設備が必要を要するという課題があった。
【０００３】
さらに、外力を印加することにより、自発光する真贋判定用シートも提供されている。発光現象は見た面に判別し難いという問題があった。（特許文献２）
また、真贋判定用途としてサーモクロミックインキ等が使用されているが、熱による可逆変化を使用しているので、加熱をしたり、コールドスプレー等で冷却する必要があるため、真贋判定を行なうのに手間と時間がかかる問題があった。
【先行技術文献】
【特許文献】
【０００４】
【特許文献１】特開２００４−２１２７７８号公報
【特許文献２】特開２００５−１４８３２５号公報
【特許文献３】特開２００７−３１４７５０号公報
【発明の概要】
【発明が解決しようとする課題】
【０００５】
そこで、本発明は、上記問題に鑑みてなされたもので、真贋判定する対象物に対して、特別な装置を用意する必要も無く目視で簡便にかつ確実に対象物の真贋判定を行なうことが可能な真贋判定シートを提供することを目的とする。
【課題を解決するための手段】
【０００６】
本発明の真贋判定シートは、基材シートの少なくとも一部に色彩可変層が設けられている真贋判定シートであって、前記色彩可変層は、該色彩可変層を設けた領域に外力を印加することにより、前記色彩可変層の色彩が変化する自己組織化ポリマーからなることを特徴とする。
【０００７】
また、本発明の真贋判定シートは、前記基材シートの少なくとも一部に設けられた色彩
可変層を覆うように前記基材シート上に接着剤が設けられ、前記接着剤の上に更に保護シートを設けたことを特徴とする。
【０００８】
更に、本発明の真贋判定シートは、接着剤が塗布された層を保護する保護シートの前記接着剤と接する側の面に色彩可変層が設けられている真贋判定シートであって、前記色彩可変層は、該色彩可変層を設けた領域に外力を印加することにより、前記色彩可変層の色彩が変化する自己組織化ポリマーからなることを特徴とする。
【０００９】
また、本発明の真贋判定シートは、前記自己組織化ポリマーが、置換ポリアセチレンからなることを特徴とする。
【発明の効果】
【００１０】
したがって、本発明の真贋判定シートは、色彩可変層を設けた領域に外力を印加することにより、前記色彩可変層の色彩が変化するので、真贋判定する対象物に対して光を照射することなく、特別な装置を用意する必要も無く簡便にかつ確実に対象物の真贋判定を行なうことができるという効果がある。
【図面の簡単な説明】
【００１１】
【図１】本発明の第１実施形態に係る真贋判定シートの断面図である。
【図２】本発明の第２実施形態に係る真贋判定シートの断面図である。
【図３】本発明の第２実施形態に係る真贋判定シートの平面図である。
【発明を実施するための形態】
【００１２】
以下、本発明の第１実施形態に係る真贋判定シート１ａを図面に基づいて詳細に説明する。
本発明の第１実施形態に係る真贋判定シート１ａは、図１に示すように、磁気カード、ＩＣカード、保険証カード等のカード類から構成されているシートである。
この真贋判定シート１ａは、印刷等により各種加工が施された基材シート２の表面の少なくとも一部に色彩可変層３が設けられたカードからなり、このカードの色彩可変層３を有する部分を湾曲又は屈曲させることにより、色彩可変層３の色彩が変化することが可能に構成されている。
【００１３】
真贋判定シート１ａを構成する材料等については各種用途により選択することができ、既存の技術を応用することができる。
特に、色彩可変層３には、特許文献３である特開２００７−３１４７５０号公報に記載されている自己組織化ポリマーや置換ポリアセチレンを使用することが好ましい。
特許文献３に記載されているように、この「自己組織化ポリマー」とは、外部刺激により分子の高次構造を自ら変化させることが可能であるポリマーをいう。
ポリマー鎖がらせん構造を有するポリマーに、外的負荷を付与して、（１）らせん方向及び／又はポリマー鎖の配向と、（２）らせん構造及び／又は結晶構造と、を可逆的ないしは不可逆的に変化させ、又は新たならせん構造を形成させて、前記ポリマーの色彩を変化させることができる。
色彩可変層３に特許文献３である特開２００７−３１４７５０号公報に記載されている自己組織化ポリマーや置換ポリアセチレンを使用する場合、溶剤などの影響があるため、色彩可変層３の上面に各種印刷やラミネートなどにより保護層を用いることが好ましい。
【００１４】
また、基材シート２の上面には、所望の文字は模様が施された印刷層４が設けられている。
そして、基材シート２の上面に設けられた色彩可変層３や印刷層４の上側には、接着剤５が塗布され、その接着剤５を介して保護シート６が接着されている。
なお、保護シート６、接着剤５は、可視透明性を有することは言うまでもない。
また、色彩可変層３は、印刷層４上に設けることもできる。
この場合は、色彩可変層３は通常の状態は不透明で湾曲または屈曲した際に、透明となる色彩可変層３を使用することにより、印刷層４によって形成した各種情報を隠蔽する用途としても使用できる。
また、本発明のシートは、偽造防止だけではなく、高意匠を具備したカードとしても使用することができる。
【００１５】
次に、図２及び図３に基づいて、本発明の第２実施形態に係る真贋判定シート１ｂを図面に基づいて詳細に説明する。
本発明の第２実施形態に係る真贋判定シート１ｂは、本発明を商品券、チケット、証書等のシートに適応させたものである。
本発明の第２実施形態に係る真贋判定シート１ｂは、可視透明性を有する保護シート８の裏面に色彩可変層３が設けられ、基材シート９上に設けられた接着剤１０により色彩可変層３が接着されている。
尚、保護シート８の裏面には、必要に応じて印刷層１１を設けて所望の印刷を施すことができる。
【００１６】
上記のように構成した本発明の第２実施形態に係る真贋判定シート１ｂは、図３に示すように商品券に適応させた場合には、顧客がその商品券で商品を購入しようとした際に、その売場の店員が、その商品券の真贋判定シート１ｂの部分を湾曲又は屈曲させることにより、色彩可変層３の色彩が変化することで、商品券が本物であることを確認することができる。
また、所定の部分の色彩が変化しない場合は、偽物であることをその場で簡単に判定することができるように構成されている。
【００１７】
本発明に係る真贋判定シートは、偽造防止が求められる各種カードや金券、証書、機密文書など、真偽判定を行えるようにすることが好ましい媒体など広く適応させて利用することができる。
【符号の説明】
【００１８】
１ａ  第１実施形態に係る真贋判定シート
１ｂ  第２実施形態に係る真贋判定シート
２，９  基材シート
３  色彩可変層
４，１１  印刷層
５，１０  接着剤
６，８  保護シート
【図１】
0005589640.tif 000002
【図２】
0005589640.tif 000003
【図３】
0005589640.tif 000004